(57)【特許請求の範囲】
【請求項１】
下地躯体に設置されたドレイン本体のフランジ上面と、該フランジと略同径であり少なくとも上面側に防水シートと熱溶着または溶剤溶着する樹脂材をコーティング又は積層してなる金属板材であるシート接続板とを定形シーリング材を介して一体的に重ね合わせ、該シート接続板上面を陸屋根を覆う防水シートで被覆すると共に該シート接続板の上面と上記防水シートとを前記熱溶着または前記溶剤溶着によって一体化せしめ、更に上記シート接続板と上記防水シートとの溶着端部をシーリング材でシーリングし、ストレーナを上記ドレイン本体の排水口を覆うように設置して該ストレーナをネジで固着せしめてなることを特徴とする防水用ドレインの設置構造。
【請求項２】
請求項１に記載の防水用ドレインの設置構造における防水シートの改修方法であって、上記ネジを外して上記ストレーナを上記ドレイン本体の上記フランジから取り外し、新たに敷設する防水シートを既存の防水シートに熱溶着または溶剤溶着によって一体化し、然る後に、ストレーナをネジで上記ドレイン本体の上記フランジに固定することを特徴とする防水用ドレインの設置構造における防水シートの改修方法。
【発明の詳細な説明】
【０００１】
【発明の属する技術分野】
本発明は、屋上防水を行なう際に陸屋根に設置する防水用ドレインの設置構造に関するものである。
【０００２】
【従来の技術】
通常、陸屋根に防水用ドレインを設置する場合、下地躯体に設置されたドレイン本体のフランジ上面を陸屋根を覆う塩化ビニール等の合成樹脂製シートや天然または合成ゴム製シートで形成された防水シートで被覆すると共に、ドレイン本体のフランジと対応する部分の防水シート上にシート押さえ板を重ね合わせてドレイン本体のフランジにネジで固着せしめ、最後にストレーナをドレイン本体のフランジにネジで取付けている。従って、ストレーナやドレイン本体の排水口が目詰まりして清掃が必要な場合や防水シートの改修（屋上防水の改修）を行なう場合などに、ネジを外してストレーナ及びシート押さえ板をドレイン本体のフランジから一旦取り外すと、防水シートが経年変化により収縮するために、ドレイン本体のフランジに対応していた部分がずれてしまい、再びシート押さえ板でドレイン本体のフランジにネジ止めしようとしても所定通りに押さえることが出来なくなることが多い。
【０００３】
そのために従来では、ドレイン全体を取り替えるか、又は既設のドレインよりもその排水口の口径が小径に形成された改修用ドレインを既設のドレインに嵌め込むように設置し、改修用ドレインのフランジと対応する部分の防水シート上に新たなシート押さえ板を重ね合わせてネジで固着するようにしていた。しかし、ドレイン全体を取り替えるとなるとかなり大掛かりな工事となるため工期及び費用が嵩み、また改修用ドレインを用いると排水有効径が小さくなってしまうので排水能力が低下してしまう不具合がある。
【０００４】
【発明が解決しようとする課題】
本発明はこのような従来の不具合に鑑みてなされたものであり、ドレイン周辺における高い防水性能を長期にわたって維持することが可能であると共に、ストレーナやドレイン本体の排水口が目詰まりして清掃が必要な場合や防水シートの改修（屋上防水の改修）を行なう場合に、ストレーナ及びシート押さえ板を取り外して簡便に清掃したり防水シートの改修を行うことが出来、従ってドレイン全体を取り替えたり改修用ドレインを用いる必要がない防水用ドレインの設置構造及びその防水シートの改修方法を提供せんとするものである。
【０００５】
【課題を解決するための手段】
斯かる目的を達成する本発明の防水用ドレインの設置構造は、下地躯体に設置されたドレイン本体のフランジ上面と、該フランジと略同径であり少なくとも上面側に防水シートと熱溶着または溶剤溶着する樹脂材をコーティング又は積層してなる金属板材であるシート接続板とを定形シーリング材を介して一体的に重ね合わせ、該シート接続板上面を陸屋根を覆う防水シートで被覆すると共に該シート接続板の上面と上記防水シートとを前記熱溶着または前記溶剤溶着によって一体化せしめ、更に上記シート接続板と上記防水シートとの溶着端部をシーリング材でシーリングし、ストレーナを上記ドレイン本体の排水口を覆うように設置して該ストレーナをネジで固着せしめてなることを特徴としたものである（請求項１）。また、防水シートの改修を容易に行うことができる（請求項２）。
【０００６】
【発明の実施の形態】
以下、本発明の具体的な好適実施例を図面に基づいて詳細に説明するが、本発明は図示実施例のものに限定されるものではなく、いろいろなバリエーションが考えられる。
【０００７】
ドレイン本体１は、従来と同様に、アルミダイキャストや鋳鉄の鋳物またはステンレス板をプレス成形したもの或いは樹脂成形したもの等、水中に浸漬しても材質変化の少ない材料を用いて、上部に設置用のフランジ１ａを備え所定の内径を有する略円筒形状に形成され、陸屋根の下地躯体Ａにフランジ１ａ上面が当該下地躯体Ａ表面とほぼ面一となるように固定状に設置する。ちなみに、図示実施例の場合、フランジ１ａが延設された本体上部構成部材１’をアルミダイキャストで成形し、この上部構成部材１’に適当な長さに形成された硬質の塩化ビニール製パイプ１”を一体的に連結してドレイン本体１を構成せしめ、フランジ１ａの下面から垂下突設した複数本のクランプ棒２とクランプ用板３を用いて、陸屋根の下地躯体Ａに固定状に設置してある。
【０００８】
そして、ドレイン本体１のフランジ１ａ上面には、シート接続板４を一体的に重ね合わせる。
尚、図示実施例ではドレイン本体１のフランジ１ａを円形平板形状（略ドーナツ形状）に形成したが、略四角形状に形成しても良く、また、特に陸屋根の立ち上がり壁面と平面部が交わる隅部に設置されるものでは、フランジ１ａを側面から見て略Ｌ字形状に形成し、正面から見て略四角形状に形成する。
【０００９】
シート接続板４は、ドレイン本体１のフランジ１ａと陸屋根を覆う防水シート５との間にあって高い水密性と防水シート５との一体化を長期にわたって維持させるためのものであり、合成樹脂材や金属板材等を用いて、ドレイン本体１のフランジ１ａとほぼ同形状をした薄い略ドーナツ板形状に形成せしめ、ドレイン本体１のフランジ１ａ上面に重ね合わせてビス６で一体的に固定する。
この際、ドレイン本体１のフランジ１ａ上面とシート接続板４との間における高い防水性を図るために、両者の間に定形シーリング材及び／又は不定形シーリング材７を介在させるようにする。即ち、定形シーリング材とはテープ状或いは略ドーナツ板形状等に定形定厚に形成されたシーリング材をいい、不定形シーリング材とはその形態が柔らかい水あめ状のものから粘土状のものまで不定形な形態をしたシーリング材をいい、ドレイン本体１のフランジ１ａの形状に合わせて略ドーナツ板形状に形成された定形シーリング材を用いる場合にはドレイン本体１のフランジ１ａ上面とシート接続板４との間に定形シーリング材を介在させるだけでも良いが、略ドーナツ板形状に形成されたドレイン本体１のフランジ１ａに対してテープ状に形成された定形シーリング材を用いるような場合には適当な長さに切断された各テープ状定形シーリング材の隙間を埋める様に不定形シーリング材を介在させるようにするものである。定形シーリング材及び／又は不定形シーリング材７としては、ブチルゴムやシリコン系等の従来からシーリング材として通常に使用されているものを使用し得る。
尚、実際の施工に際しては、シート接続板４の裏面側に定形シーリング材７を予め添設させておくことが望ましい。
【００１０】
また、シート接続板４は、防水シート５との間における高い水密性及び一体性を長期にわたって維持させることができるように、防水シート５の裏面に接着剤を用いて一体的に接着するようにするか、或いは防水シート５と熱溶着または溶剤溶着する樹脂材で形成したり、少なくともその上面側（防水シート５と相対する側の面）に防水シート５と熱溶着または溶剤溶着する樹脂材をコーティング又は積層してなる鋼板等の金属板材を用いて、シート接続板４を防水シート５に熱溶着または溶剤溶着するようにする。ここで、シート接続板４を防水シート５に熱溶着または溶剤溶着する場合、防水シート５が例えば塩化ビニールで形成されている場合には、シート接続板４自体を塩化ビニールで形成するか少なくともその上面側に塩化ビニールがコーティング又は積層された鋼板材（塩ビ鋼板と通称される。）等の金属板材を用い、また防水シート５が例えばオレフィン系樹脂材で形成されている場合には、シート接続板４自体をオレフィン系樹脂材で形成したり、少なくともその上面側にオレフィン系樹脂材がコーティング又は積層された鋼板材等の金属板材を用いるものである。
尚、シート接続板４と防水シート５の溶着端部は、当該部分から浸水するのを防止するために、ブチル系や塩ビ樹脂系等の不定形シーリング材７’を用いてシーリングすることが好ましい。
【００１１】
防水シート５を上から押さえ付けるためのシート押さえ板８及びドレイン本体１の排水口１ｂを覆うためのストレーナ９は、従来と同様に形成される。即ち、シート押さえ板８は、アルミダイキャストや鋳鉄の鋳物またはステンレス板をプレス成形したもの或いは樹脂成形したもの等の材料を用いて、シート接続板４とほぼ同形状をした薄い略ドーナツ板形状に形成して、シート接続板４と対応する部分の防水シート５上に重ね合わせてドレイン本体１のフランジ１ａにネジ１０で固着せしめ、また、ストレーナ９はアルミダイキャストや鋳鉄の鋳物またはステンレス板をプレス成形したもの或いは樹脂成形したもの等の材料を用いて、雨水とともにドレイン本体１の排水口１ｂ内に入ろうとする夾雑物を阻止し得るように所要の形状に形成し、ドレイン本体１の排水口１ｂを覆うように設置してドレイン本体１のフランジ１ａにネジ１１で固着する。
尚、ストレーナ９をドレイン本体１のフランジ１ａにネジ１１で固着させる際に、シート押さえ板８を共締めすることにより、シート押さえ板８をドレイン本体１のフランジ１ａに固着させるためのネジ１０を省略することが可能であり、更には、シート押さえ板８そのものの使用を省略することも可能となる。
【００１２】
而して、ドレイン本体１を新規に設置する場合には、陸屋根の下地躯体Ａに形成せしめた設置穴Ｂ内に、ドレイン本体１をフランジ１ａ上面が下地躯体Ａ表面とほぼ面一となるように固定状に設置する。然る後、裏面側に定形シーリング材（及び／又は不定形シーリング材７）を予め添設させておいたシート接続板４を、シーリング材７側を下にしてドレイン本体１のフランジ１ａの上面に重ね合わせると共に、ネジ６でドレイン本体１のフランジ１ａ上面に固着せしめる。
次に、シート接続板４の上面を、陸屋根を覆う防水シート５で被覆させると共に、シート接続板４の上面を防水シート５の裏面側に接着或いは熱溶着または溶剤溶着して一体化せしめ、シート接続板４と防水シート５の溶着端部を不定形シーリング材７’でシーリングする。その後、シート接続板４と対応する部分の防水シート５上にシート押さえ板８を重ね合わせて、そのシート押さえ板８をドレイン本体１のフランジ１ａにネジ１０で固着せしめ、最後にストレーナ９をドレイン本体１の排水口１ｂを覆うように設置してネジ１１でドレイン本体１のフランジ１ａに固定させれば、ドレインの設置作業が完了する。
【００１３】
また、ストレーナ９やドレイン本体１の排水口１ｂが目詰まりして清掃が必要になった場合や陸屋根を覆う防水シート５の改修（屋上防水の改修）を行なう場合には、ネジ１０及び１１を外してストレーナ９及びシート押さえ板８をドレイン本体１のフランジ１ａから取り外し、新たに敷設する防水シートを既存の防水シート５におけるシート押さえ板８で押さえられていた部分に熱溶着または溶剤溶着して一体化せしめる。然る後に、シート接続板４と対応する部分の防水シート５上にシート押さえ板８を重ね合わせてドレイン本体１のフランジ１ａにネジ１０で固着せしめ、ストレーナ９をドレイン本体１の排水口１ｂを覆うように設置してネジ１１でドレイン本体１のフランジ１ａに固定させるものである。
【００１４】
【発明の効果】
本発明に係る防水用ドレインの設置構造によれば、下地躯体に設置されたドレイン本体のフランジ上面にシート接続板を定形シーリング材を介在させて一体的に重ね合わせ、該シート接続板上面を陸屋根を覆う防水シートで被覆すると共に該シート接続板の上面を防水シートに熱溶着または溶剤溶着して一体化せしめ、シート接続板と対応する部分の防水シートをドレイン本体のフランジにネジで固着せしめるようにしたので、ドレイン周辺における高い防水性能を長期にわたって維持することが可能となる。
しかも、ストレーナやドレイン本体の排水口が目詰まりして清掃が必要になった場合や防水シートの改修（屋上防水の改修）を行なう場合に、ストレーナを取り外しても、防水シートはシート接続板に熱溶着または溶剤溶着により一体化しているをもって、経年変化によるもほとんど収縮することがない。従って、ストレーナを取り外しをしても、再度新規施工時と同様にドレイン本体のフランジにネジで固着することが可能となり、よってストレーナやドレイン本体の排水口を簡便に清掃したり防水シートの改修を行うことが出来、その結果、ドレイン全体を取り替えたり改修用ドレインを用いる必要がなくなる。
【図面の簡単な説明】
【図１】  本発明実施の一例を説明する模式図。
【符号の説明】
Ａ：下地躯体                Ｂ：設置穴
１：ドレイン本体          １ａ：フランジ          ２：クランプ棒
３：クランプ用板            ４：シート接続板      ５：防水シート
６：ネジ                    ７：シーリング材      ８：シート押さえ板
９：ストレーナ            １０，１１：ネジ
【図１】
0004875244.tif 000002